(57)【要約】      （修正有）【課題】掃き部が湾曲していることにより、ゴミを中央部に収集することが容易であり、清掃具から水が出る構造とすることにより、水を流しながら清掃作業ができる清掃具を提供する。【解決手段】透明板２，３と清掃ヘッド１３の中央部に連結される柄４とを備え、清掃ヘッドは弓型状に湾曲した板状に形成し、透明板は弓型状の湾曲した透明プラスチック素材からなるものであって清掃ヘッドの上面に垂直に連結し、柄は清掃ヘッドと連結継手１２により連結し、清掃ヘッドと透明板の水平板状部分の中央に穴を設け、連結継手及び柄は中空状に形成して連結することにより、中空部の中心線に沿って水出口から流水可能とともに、柄に制水用の弁１０とワンタッチ式流体継手の水ホースジョイント１１を備え、清掃ヘッドの下面側に合成樹脂製の多数のブラシを備えたブラシ毛束９を植毛孔に植設されている清掃具１。【選択図】図２
2015196077.tif 000002
【特許請求の範囲】
【請求項１】
透明板と清掃ヘッドの中央部に連結される中実丸棒の柄とを備え、前記清掃ヘッドは弓型状に湾曲した板状に形成し、前記透明板は弓型状の湾曲した透明プラスチック素材からなるものであって前記清掃ヘッドの上面に垂直に連結し、前記透明板の上部は前方に傾斜する透明プラスチック素材からなる傾斜透明板を形成し、前記柄は前記清掃ヘッドと連結継手により連結し、前記柄の端部は屈曲した中実丸棒の取っ手部柄を連結し、前記取っ手部柄のほぼ終端は、水平左右方向に伸びている水平握り部を形成し、前記清掃ヘッドの下面側に合成樹脂製の多数のブラシを備えたブラシ毛束を植毛孔に植設されていることを特徴とする清掃具。
【請求項２】
請求項１において、前記清掃ヘッドと前記透明板の水平板状部分の中央に穴を設け、前記連結継手及び前記柄は中空状に形成して連結することにより、中空部の中心線に沿って水出口から流水可能とともに、前記柄に制水用の弁とワンタッチ式流体継手の水ホースジョイントを備えることを特徴とする清掃具。
【請求項３】
前記ブラシ毛束が拭布の箒状モップ部材で形成されていることを特徴とする請求項１または２に記載の清掃具。
【請求項４】
前記ブラシ毛束が汚れを掻き落とし得る程度の剛性を備えた一本の硬質繊維ブラシを多数箇所の植毛孔に植設したことを特徴とする請求項１または２に記載の清掃具。
【請求項５】
前記ブラシ毛束が板状一枚からなるゴム製の板状弾性素材を清掃ヘッドの下面側に垂直に植設したことを特徴とする請求項１または２に記載の清掃具。
【請求項６】
前記透明板の補強を目的として、前記透明板の弓型状に湾曲した円弧外周面に垂直に板状の三角補強板を直角になるように複数配置したことを特徴とする請求項１から５に記載のいずれか１項に記載の清掃具。
【発明の詳細な説明】
【技術分野】
【０００１】  本発明は、室内床面のゴミの清掃や屋外地面に付着した埃や泥等の汚れを除去するための清掃具に関するものである。
【背景技術】
【０００２】  清掃具として、箒や自在ブラシなどが良く知られている。一般的な箒は、床面上の塵埃を掃き取るのに最適なように柔軟性の高い繊維を使用している。また、自在ブラシは、繊維を植設して形成した清掃ヘッドと、この清掃ヘッドに連結した柄とからなるもので、箒のように床面を掃き掃除するものとして利用されている。（特許文献１参照）【０００３】  従来、この種の箒やブラシは埃、ゴミ等を掃き掃除して一か所に集積する道具として用いられているが、大量のゴミや重さのあるゴミ等を集積するものに適さず、また枯葉等を集積する場合に散乱させてしまうこともあり、水溜りのある場所での清掃には適さないという問題があった。【０００４】  建築現場などでは、建築物の床などに溜まった水を清掃して、建築作業の障害を除く作業を行う必要がある。従来は、「トンボ」という水切り清掃具をこのような清掃作業に用いていた。
【先行技術文献】
【０００５】
【特許文献１】特開２０１１−８３４０５号公報
【発明の概要】
【発明が解決しようとする課題】
【０００６】  本発明の課題は、室内床面に散乱したゴミの清掃や屋外地面に付着した埃や泥等を掃除することができ、重さのあるゴミも押しながら掃除することができ、水たまり等の場所においてもゴミを清掃することができる清掃具を提供することにある。【０００７】  また、室外における大量の落ち葉の枯葉等が発生する場所で使用する場合、枯葉等が清掃ヘッドを乗り上げないように清掃ヘッドの上部に垂直に板を取付けてゴミを集積しやすい清掃具を提供することにある。【０００８】  さらに、清掃具を使用する際に水を流しながら清掃作業できるように、清掃具から水が出る構造とすることにより作業効率の良い清掃具を提供することにある。
【課題を解決するための手段】
【０００９】  上記課題を解決するため、請求項１に記載の清掃具は、弓型状に湾曲した板状の清掃ヘッドの上面に垂直に弓型状に湾曲したプラスチック素材からなる透明板を連結し、透明板の上部は前方に傾斜するようにプラスチック素材からなる傾斜透明板を形成し、清掃ヘッドの中央部の上面を連結継手により連結し、連結継手はその他方側の結合部を中実丸棒の柄と連結して構成され、柄の端部は屈曲した中実丸棒の取っ手部柄を連結し、取っ手部柄のほぼ終端は、水平左右方向に伸びている水平握り部を形成し、かつ、水平握り部の表面は凹凸状に滑り止め加工を施した棒状に形成し、取っ手部柄の末端を形成する垂直握り部の表面は凹凸状に滑り止め加工を施した棒状に形成し、清掃ヘッドの下面側に合成樹脂製の多数のブラシを備えたブラシ毛束を植毛孔に植設されていることを特徴とするものである。【００１０】  請求項２に記載の清掃具は、請求項１記載の清掃ヘッドと透明板の水平板状部分の中央に穴を設け、連結継手及び柄は中空状に形成して連結することにより中空部の中心線に沿って水出口から流水可能とともに、柄に制水用の弁とワンタッチ式流体継手の水ホースジョイントを備えることを特徴とするものである。【００１１】  請求項３に記載の清掃具は、請求項１または２記載のブラシ毛束が拭布の箒状モップ部材からなることを特徴とするものである。【００１２】  請求項４に記載の清掃具は、請求項１または２記載のブラシ毛束が汚れを掻き落とし得る程度の剛性を備えた一本の硬質繊維ブラシを多数箇所の植毛孔に植設したことを特徴とするものである。【００１３】  請求項５に記載の清掃具は、請求項１または２記載のブラシ毛束が板状一枚からなるゴム製の板状弾性素材を清掃ヘッドの下面側に垂直に植設したことを特徴とするものである。【００１４】  請求項６に記載の清掃具は、請求項１から５記載のいずれか１項記載の透明板の補強を目的として透明板の弓型状に湾曲した円弧外周面に垂直に板状の三角補強板を直角になるように複数配置したことを特徴とするものである。
【発明の効果】
【００１５】  本発明は、清掃ヘッドの上部に透明板状を備えることにより、ゴミを大量に集積する事ができ、作業者の衣類が水跳ね等で汚れる心配がなく、清掃具前方を視認しながら清掃を効率よく行うことができることが最大な特徴である。清掃具を使用時は、ゴミを中心に旋回及び摺動させることにより、ゴミを中心に集積することもできる。【００１６】  作業環境に合わせて、ブラシは毛束、拭布の箒状モップ部材、硬質プラスチックまたは弾性素材を選択することにより、室内床面や屋外地面などにある散在するゴミを除去及び集積することができ、床面に張り付いた埃や泥等に押圧を加えながら摺動させることができるため、その埃や泥等を掃きながら除去して清掃を行うことができる。特に、本発明の清掃具は押したり引いたりしやすいように水平及び垂直に握り部を一体にしてあるため、清掃を効率よく行うことができる。【００１７】  また、中空の柄の部分に水を流すことにより清掃ヘッドから水を流しながら清掃作業をすることができ、跳ね飛んだ水を弾く板を取付けることにより作業者の衣類や手が濡れずに快適に作業をすることができる。
【図面の簡単な説明】
【００１８】
【図１】本発明の実施形態例の外観図である。
【図２】本発明の実施形態例の側面図である。
【図３】本発明の実施形態例の平面図である。
【図４】図３のＡ−Ａ線に沿う要所断面図である。
【図５】図１に示す清掃具のブラシ毛束部を変更した一例を示す要所断面図である。
【図６】図１に示す清掃具のブラシ毛束部を変更した一例を示す要所断面図である。
【図７】図１に示す清掃具のブラシ毛束部を変更した一例を示す要所断面図である。
【図８】本発明の実施形態例の底面図である。
【図９】本発明の実施形態例の側面図である。
【図１０】本発明である清掃具に水ホースを連結した状態を示す説明図である。
【発明を実施するための形態】
【００１９】  以下、本発明を実施するための形態について図を参照しながら説明する。図１は、本発明に係る実施例における清掃具１の外観図である。
【００２０】  図２は、本発明に係る清掃具１を側面から見た図である。弓型状に湾曲した板状の清掃ヘッド１３の上面に垂直に弓型状に湾曲した前方が透けて見える透明な板状のプラスチック素材からなる透明板２を取付ネジ１５で連結し、透明板２の上部は前方に傾斜するように透明な板状のプラスチック素材からなる傾斜透明板３を形成し、板状の清掃ヘッド１３の中央部の上面を連結継手１２により連結し、連結継手１２はその一方側の結合部において継手パイプ８と連結されるとともに、継手パイプ８はその他方側において丸棒状の柄４と連結して構成されている。連結継手１２と柄４は、合成樹脂、または軽量アルミ素材からなる中空丸棒で構成されている。なお、水を流水させない構成とする場合、連結継手１２と柄４は中実丸棒で構成されても良い。
【００２１】  柄４の端部には制水用の弁１０とワンタッチ式流体継手の水ホースジョイント１１を備え、さらに柄４の端部に屈曲した中実丸棒の取っ手部柄６を取っ手継手パイプ７で連結して構成されている。
【００２２】  作業者が清掃具１を押したり引いたり、または左右方向に旋回し易いように、取っ手部柄６のほぼ終端には図１及び図２に表れているように、水平左右方向に伸びている水平握り部５ａを形成し、かつ、水平握り部５ａの表面は凹凸状に滑り止め加工を施した棒状に形成し、取っ手部柄６の末端を形成する垂直握り部５ｂの表面は凹凸状に滑り止め加工を施した棒状に形成している。
【００２３】  柄４の床面Ｆに対する傾斜角度は作業効率を考慮し、３５°から４５°とし、柄４の全長は１ｍ程度で制作するものが好ましい。柄４の全長は前記寸法に限定するものではなく、作業環境に合わせて多種類の寸法に形成しても良い。
【００２４】  透明板２の垂直方向の高さは３０ｃｍ程度に形成し、傾斜透明板３は前方に傾斜しており、透明板２と傾斜透明板３を合計した垂直方向の高さは４０ｃｍ程度に形成する。透明板２と傾斜透明板３を合計した垂直方向の高さは前記寸法に限定するものではなく、作業環境に合わせて多種類の寸法に形成しても良い。
【００２５】  図３は、本発明に係る清掃具１を真上から見た平面図である。弓型状に湾曲した透明板２と清掃ヘッド１３の弓型状に湾曲した全長は７０ｃｍ程度で制作するものが好ましい。透明板２と清掃ヘッド１３の弓型状に湾曲した全長は前記寸法に限定するものではなく、作業環境に合わせて多種類の寸法に形成しても良い。
【００２６】  図４は、図３のＡ−Ａ線に沿う要所断面図であり、清掃ヘッド１３の下面側に合成樹脂製の多数のブラシを備えたブラシ毛束９を植毛孔１６に植設した清掃部の一例である。さらに、連結継手１２及び柄４は中空状に形成することにより中空部の中心線に沿って水出口１８から流水可能なように継手パイプ８で連結している。
【００２７】  図５は、ブラシ毛束９を拭布の箒状モップ部材１４ａを植毛孔１６に植設した清掃部の一例である。
【００２８】  図６は、ブラシ毛束が汚れを掻き落とし得る程度の剛性を備えた一本の硬質繊維ブラシ１４ｂを多数箇所の植毛孔１６に植設した清掃部の一例である。
【００２９】  図７は、ブラシ毛束９を板状一枚からなるゴム製の板状弾性素材１４ｃを清掃ヘッド１３の下面側の水出口１８近傍に垂直に植設した清掃部の一例である。
【００３０】  図８は、本発明に係る清掃具１について掃き部が板状弾性素材１４ｃで構成された底面から見た底面図である。板状弾性素材１４ｃは清掃ヘッド１３の下面側の一端から他端にかけて垂直に弓型状に湾曲して植設する。
【００３１】図９は、本発明の実施形態例の側面図であり、透明板２を補強し剛性を高める目的として、透明板２の弓型状に湾曲した円弧外周面に垂直に板状の三角補強板１７を直角になるように複数配置し連結して構成されている。
【００３２】  図１０は清掃具１の水ホースジョイント１１に水ホース１９を連結し、弁１０を操作することにより水を流水させている使用図である。水を流水させる必要のない環境で清掃具１を使用する場合は、水ホース１９を連結せずに清掃作業をすることができる。
【産業上の利用可能性】
【００３３】本発明にかかる清掃具は工業的に安価で量産することが可能で、ブラシ毛束の材質を変更すれば、広範囲に使用することができ、特に動物園の獣舎において汚物の掃き掃除において清掃を効率よく行うことができる。また、小型化することにより机上の塵埃等を除去する場合に清掃を効率よく行うこともできる。また、清掃具を小型化すれば建設現場で見られるＵ字排水溝の清掃に使用することもできる。
【符号の説明】
【００３４】１      清掃具
２      透明板
３      傾斜透明板
４      柄
５ａ    水平握り部
５ｂ    垂直握り部
６      取っ手部柄
７      取付継手パイプ
８      継手パイプ
９      ブラシ毛束
１０    弁
１１    水ホースジョイント
１２    連結継手
１３    清掃ヘッド
１４ａ  箒状モップ部材
１４ｂ  硬質繊維ブラシ
１４ｃ  板状弾性素材
１５    取付ネジ
１６    植毛孔
１７    三角補強板
１８    水出口
１９    水ホース
【図１】
2015196077.tif 000003
【図２】
2015196077.tif 000004
【図３】
2015196077.tif 000005
【図４】
2015196077.tif 000006
【図５】
2015196077.tif 000007
【図６】
2015196077.tif 000008
【図７】
2015196077.tif 000009
【図８】
2015196077.tif 000010
【図９】
2015196077.tif 000011
【図１０】
2015196077.tif 000012